(57)【要約】【課題】遊技台用台間機において、ホルダ側のコネクタに台間機本体側のコネクタを差し込む機構を部品点数が少ない簡単な構造にすること。【解決手段】台間機６のホルダ１０に取り付けた中継器３０は、ホルダ側コネクタ３１が搭載された中継基板４１が取り付られているブラケット４２と、ブラケット４２をホルダ背面との間に上下左右にスライド可能な状態で挟み込んでいるカバー部材４３とを備え、ブラケット４２の前面側からはガイドピン４６、４７が前方に突出している。台間機本体２０の制御器２２の制御基板２７の後端には本体側コネクタ２８が搭載され、台間機本体２０の背面における当該コネクタ２８の上下にはガイド穴１１１、１１２が形成されている。台間機本体２０をホルダ１０に差し込むと、ガイドピン４６、４７がガイド穴１１１、１１２に案内され、ホルダ側コネクタ３１が上下左右にスライドして本体側コネクタ２８に自動的に位置合わせされ、当該コネクタ２８に差しこまれる。【選択図】      図２
2004202023.tif 000002
【特許請求の範囲】
【請求項１】
ホルダと、
このホルダに対して着脱可能な状態で背面側から差し込み固定されている台間機本体と、
前記ホルダに前向き姿勢で取り付けられているホルダ側コネクタと、
前記台間機本体に後向き姿勢で取り付けられている本体側コネクタとを有し、
前記ホルダ側コネクタは、当該ホルダ側コネクタの差し込み方向に直交する方向にスライド可能な状態で前記ホルダに取り付けられており、
前記台間機本体を前記ホルダに差し込むと、前記本体側コネクタが前記ホルダ側コネクタに差し込み固定された状態が形成される遊技台用台間機。
【請求項２】
請求項１において、
前記ホルダ側コネクタと前記本体側コネクタの位置合わせを行うために、前記ホルダおよび前記台間機本体の一方の側に取り付けたガイドピンと、他方の側に取り付けたガイド穴とを有していることを特徴とする遊技台用台間機。
【請求項３】
請求項２において、
前記ガイドピンは、前記ホルダから前方に突出する状態で当該ホルダに取り付けられ、前記ホルダ側コネクタと一体となってスライド可能であり、
前記ガイド穴は、前記台間機本体の背面に形成されていることを特徴とする遊技台用台間機。
【請求項４】
請求項３において、
前記ホルダに取り付けた中継器を有し、
この中継器は、中継基板と、この中継基板の前側表面に取り付けられているブラケットと、前方に開口している箱型のカバー部材とを有しており、
前記ブラケットの前側表面には前記ガイドピンが取り付けられ、前記中継基板の前側表面には前記ホルダ側コネクタが取り付けられ、当該ホルダ側コネクタが前記ブラケットに形成した開口部から前方に突出しており、
前記カバー部材を前記ホルダの背面に取り付けることにより形成される閉鎖空間内に前記中継基板が取り付けられた前記ブラケットが装着され、当該ブラケットがスライド可能な状態で前記カバー部材と前記ホルダの背面との間に挟まれており、
前記ホルダ側コネクタおよび前記ガイドピンが、前記ホルダの背面に形成した開口部から前方に突出していることを特徴とする遊技台用台間機。
【請求項５】
請求項４において、
前記中継基板の背面には外部通信用コネクタが後向き状態に取り付けられており、
前記カバー部材における前記外部通信用コネクタに対峙している部分には、当該外部通信用コネクタを背面側に突出させるための開口部が形成されていることを特徴とする遊技台用台間機。
【請求項６】
請求項１ないし５のうちのいずれかの項において、
前記本体側コネクタは、台間機制御器の制御基板に搭載されており、
前記台間機本体の背面には、前記本体側コネクタに対応する部位に前記ホルダ側コネクタを差し込み可能な開口部が形成されていることを特徴とする遊技台用台間機。
【発明の詳細な説明】
【０００１】
【発明の属する技術分野】
本発明は、パチンコ玉などの遊技媒体の貸し出しを行う遊技台用台間機に関するものである。さらに詳しくは、遊技島取付枠に固定されたホルダに台間機本体を差し込むことにより、ホルダ側の通信用コネクタに台間機本体側の通信用コネクタを差し込み固定可能な遊技台用台間機に関するものである。
【０００２】
【従来の技術】
パチンコ台などの遊技台の間には、磁気カードやＩＣカードによりパチンコ玉などの遊技媒体を貸し出す台間機が設置されている。台間機は、遊技島を構成している遊技島取付枠に取り付けられた遊技台に隣接配置されており、一般に、遊技島取付枠に固定されたホルダに対して台間機本体を着脱可能な状態で差し込み固定できる構造となっている。
【０００３】
このような台間機では、ホルダの側に通信用の中継器が取り付けられており、台間機本体をホルダに差し込み固定する際に、台間機本体とホルダ側の中継器との接続作業も行う必要がある。かかる接続作業を簡単に行うための機構としては、台間機本体をホルダに差し込むと、ホルダの中継器側のコネクタに台間機本体側のコネクタが自動的に差し込まれて接続状態が形成される機構（以下、プラグイン方式の機構と呼ぶ。）が知られている。このような機構は例えば次の特許文献に開示されている。
【０００４】
【特許文献】
特開２００２−１１２３８号公報
【０００５】
【発明が解決しようとする課題】
このプラグイン方式の機構では、双方のコネクタの位置合わせを行うために、一方のコネクタの近傍に先細り形状のガイドピンを設け、他方のコネクタの近傍にガイド穴を設けることが望ましい。この場合、ガイドピン側のコネクタを、ガイドピンと共にその差し込み方向に直交する方向にスライド可能としておき、台間機本体をホルダに差し込む際に、ガイドピン側のコネクタを他方のコネクタに位置合わせして、双方のコネクタの嵌合を確実に形成できるようにすればよい。
【０００６】
しかしながら、このようなプラグイン方式の機構では、一方のコネクタを差し込み方向に直交する方向にスライド可能にする必要があるので、コネクタ取付部分の構造が複雑化し、部品点数が増加するなどの問題がある。
【０００７】
本発明の課題は、この点に鑑みて、部品点数が少なく簡単な構造のプラグイン方式の機構を備えた遊技台用台間機を提案することにある。
【０００８】
【課題を解決するための手段】
上記の課題を解決するために、本発明の遊技台用台間機は、
ホルダと、
このホルダに対して着脱可能な状態で背面側から差し込み固定されている台間機本体と、
前記ホルダに前向き姿勢で取り付けられているホルダ側コネクタと、
前記台間機本体に後向き姿勢で取り付けられている本体側コネクタとを有し、
前記ホルダ側コネクタは、当該ホルダ側コネクタの差し込み方向に直交する方向にスライド可能な状態で前記ホルダに取り付けられており、
前記台間機本体を前記ホルダに差し込むと、前記本体側コネクタが前記ホルダ側コネクタに差し込み固定された状態が形成されることを特徴としている。
【０００９】
ここで、前記ホルダ側コネクタと前記本体側コネクタの位置合わせを行うために、前記ホルダおよび前記台間機本体の一方の側に取り付けたガイドピンと、他方の側に取り付けたガイド穴とを有していることが望ましい。
【００１０】
この場合、前記ガイドピンを、前記ホルダから前方に突出する状態で当該ホルダに取り付け、前記ホルダ側コネクタと一体となってスライド可能とし、前記ガイド穴を、前記台間機本体の背面に形成することが望ましい。
【００１１】
また、本発明において、前記ホルダに取り付けた中継器を、中継基板と、この中継基板の前側表面に取り付けられているブラケットと、前方に開口している箱型のカバー部材とを備えた構成とすることができる。
【００１２】
この場合、前記ブラケットの前側表面に前記ガイドピンを取り付け、前記中継基板の前側表面に前記ホルダ側コネクタを取り付け、当該ホルダ側コネクタを前記ブラケットに形成した開口部から前方に突出させればよい。また、前記カバー部材を前記ホルダの背面に取り付けることにより形成される閉鎖空間内に前記中継基板が取り付けられた前記ブラケットを装着し、当該ブラケットをスライド可能な状態で前記カバー部材と前記ホルダの背面との間に挟めばよい。さらに、前記ホルダ側コネクタおよび前記ガイドピンを、前記ホルダの背面に形成した開口部から前方に突出させればよい。
【００１３】
ここで、前記中継基板の背面に外部通信用コネクタを後向き状態に取り付けた場合には、前記カバー部材における前記外部通信用コネクタに対峙している部分に、当該外部通信用コネクタを背面側に突出させるための開口部を形成すればよい。
【００１４】
次に、前記本体側コネクタを、台間機制御器の制御基板に直接搭載し、前記台間機本体の背面に、前記本体側コネクタに対応する部位に前記ホルダ側コネクタを差し込み可能な大きさの開口部を形成することが望ましい。このようにすれば、台間機本体の背面に取り付けた本体側コネクタと制御基板の間にケーブルを引き回す必要がなくなる。
【００１５】
【発明の実施の形態】
以下に、図面を参照して、本発明を適用した遊技台用台間機を備えた遊技システムを説明する。
【００１６】
図１は本実施の形態に係る遊技システムを示す部分正面図である。本実施の形態に係る遊技システム１の基本的な構成は一般的なものであり、遊技島２を構成するための遊技島取付枠３と、この遊技島取付枠３に沿って取り付けられた複数の遊技ユニット４とを有している。各遊技ユニット４は、パチンコ台やスロット台などの遊技台５と、遊技台５の左側に隣接配置されている台間機（遊技台用台間機）６とを備えている。
【００１７】
図２は台間機６を分解した状態で示す側面図である。本例の台間機６は、遊技島取付枠３に固定されているホルダ１０と、このホルダ１０に対して前方から水平に差し込み固定可能な台間機本体２０から構成されている。ホルダ１０は、垂直に延びる前方に開口しているコの字状断面の縦枠１１と、この縦枠１１の上端から前方に水平に延びている下方に開口しているコの字状断面の上側水平ガイド枠１２と、縦枠１１の下端から前方に水平に延びている上方に開口しているコの字状断面の下側水平ガイド枠１３と、縦枠１１の背面側表面１１ｂに取り付けられた中継器３０とを備えている。この中継器３０には前向き姿勢でホルダ側コネクタ３１が取り付けられていると共に、後向き姿勢で複数の外部通信用コネクタ３２〜３７が取り付けられている。
【００１８】
台間機本体２０は、上側水平ガイド枠１２および下側水平ガイド枠１３の間に前側から差し込み可能な幅および高さ寸法の縦長の扁平な本体ケース２１を備えており、この本体ケース２１の中には、各部の駆動を制御する制御器２２および電源ユニット２３が配置されている。また、例えば、紙幣識別部２４、紙幣収納部２５、カード収納部２６などが配置されている。制御器２２は縦置き状態で配置された制御基板２７を備えており、この制御基板２７には各種の電子部品が実装されていると共に、その後端には本体側コネクタ２８が後向きの姿勢で搭載されている。
【００１９】
なお、制御器２２がカードリーダライタを備えている場合には、プリペイドカードＣが挿入されると、そこに記憶されている金額情報に基づき、遊技媒体の貸し出し処理が行われる。台間機６による遊技媒体の貸し出し動作、紙幣識別部２４、紙幣収納部２５を備えた入金処理動作も公知であるので、これらの説明は省略する。
【００２０】
次に、図３はホルダ１０の背面に取り付けられている中継器３０を分解した状態で示す側面図であり、図４（ａ）、（ｂ）および（ｃ）はそれぞれホルダの縦枠１１を前側から見た場合の部分正面図、当該縦枠１１を背面側から見た場合の部分背面図、および台間機本体の本体ケース２１を背面側から見た場合の部分背面図である。図２ないし図４を参照して、中継器３０の構造を説明する。
【００２１】
中継器３０は、通信用電子部品が搭載されている中継基板４１と、この中継基板４１の前側に固定されているブラケット４２と、前方に開口している縦長の箱型のカバー部材４３を備えている。中継基板４１は縦長の長方形であり、その前側表面４１ａにはホルダ側コネクタ３１が前向き姿勢で取り付けられている。また、中継基板４１の背面側表面４１ｂには上記の外部通信用コネクタ３２〜３７が背面側に向いた姿勢で搭載されている。
【００２２】
ブラケット４２は、前板部分４２１と、この前板部分４２１の左右の縁から背面側に直角に折れ曲がっている側板部分４２２、４２３を備えている。前板部分４２１の上下の端部は側板部分４２２、４２３よりも上下に突出した取り付け用フランジ４２４、４２５とされており、これらの取り付け用フランジ４２４、４２５の背面側の表面に、中継基板４１の上下の端が固定用ビス４４、４５によって固定されている。側板部分４２２、４２３の間隔は中継基板４１の幅よりも大きいので、中継基板４１はブラケット４２の前板部分４２１の背面側表面に積層された状態で当該ブラケット４２に固定される。
【００２３】
ブラケット４２の前板部分４２１におけるホルダ側コネクタ３１に対峙している部位には開口部４２６が形成されており、ホルダ側コネクタ３１が当該開口部４２６から前方に突出している。また、前板部分４２１における開口部４２６の上下の部位には先細り形状をした上側ガイドピン４６および下側ガイドピン４７が前方に水平に突出している。
【００２４】
一方、カバー部材４３は、上下に長い長方形の背面板部分４３１と、この背面板部分４３１の左右の縁から前方に直角に折れ曲がっている側板部分４３２、４３３と、背面板部分４３１の上下の縁から前方に直角に折れ曲がっている上端板部分４３４および下端板部分４３５を備えた箱型をしている。上端板部分４３４、下端板部分４３５の先端縁は上側および下側に直角に折れ曲がった取り付け用フランジ４３６、４３７とされており、これらの部分が、上下一対ずつの固定用ビス４８、４９によってホルダ１０の縦枠１１の背面１１ｂに固定されている。
【００２５】
ここで、カバー部材４３における側板部分４３２、４３３の間隔は、中継基板４１およびブラケット４２の幅よりも所定寸法だけ広い。同様に、カバー部材４３の上端板部分４３４および下端板部分４３５の間隔も、中継基板４１およびブラケット４２の長さよりも所定寸法だけ広い。さらに、カバー部材４３の深さは、ブラケット４２の左右の側板部分４２２、４２３の幅よりも僅かに大きい。従って、カバー部材４３と縦枠１１の背面１１ｂとにより構成される閉鎖空間内にブラケット４２に取り付けた中継基板３０を装着することができる。また、当該カバー部材４３をホルダ１０の縦枠１１の背面１１ｂに固定すると、カバー部材４３の背面板部分４３１と縦枠１１との間に、ブラケット４２が上下、左右に所定量だけスライド可能に挟まれた状態が形成される。
【００２６】
ホルダ１０の縦枠１１における上下のガイドピン４６、４７およびホルダ側コネクタ３１に対峙する部位には、それぞれピン穴１１１、１１２および開口部１１３が形成されている。これらは、ガイドピン４６、４７、およびホルダ側コネクタ３１がスライド可能な大きさに設定されている。カバー部材４３によってスライド可能な状態でホルダ１０に取り付けられた中継器３０のガイドピン４６、４７およびホルダ側コネクタ３１は、当該ピン穴１１１、１１２および開口部１１３を通って、ホルダ縦枠１１から前方に突出した状態になる。
【００２７】
次に、カバー部材４３の背面板部分４３１には、外部通信用コネクタ３２、３３にそれぞれ対応する部位に、これらを背面側に突出させるための開口部４４２、４４３が形成されている。また、外部通信用コネクタ３４〜３７を背面側に突出させるための単一の開口部４４４も形成されている（図４参照）。
【００２８】
一方、図２、図４に示すように、本体側コネクタ２８に対峙している本体ケース２１の背面板部分２１１には、本体側コネクタ２８に対峙した部位に開口部２１２が形成されており、ここからホルダ側コネクタ３１を本体側コネクタ２８に差し込むことが可能となっている。また、この開口部２１２の上下の部位には、上記の一対のガイドピン４６、４７をそれぞれ差し込み可能な上側ガイド穴２１３および下側ガイド穴２１４が形成されている。
【００２９】
このように構成した本例の台間機６において、ホルダ１０に対して、その前方から台間機本体２０を水平に差し込むと、先端に向けて細くなっているホルダ側の上下のガイドピン４６、４７が台間機本体２０の背面に形成されている上下一対のガイド穴２１３、２１４に差し込まれる。ガイドピン４６、４７が取り付けられているブラケット４２はホルダ１０に対して上下左右にスライド可能であるので、ガイドピン４６、４７がガイド穴２１３、２１４と同心状態でない場合には、ガイドピン４６、４７の側が上下左右にスライドして心合わせ状態が形成される。これにより、ブラケット４２に取り付けられている中継基板４１のホルダ側コネクタ３１が、台間機本体２０側のコネクタ２８に対して自動的に位置合わせされる。よって、双方のコネクタ３１、２８を確実かつ円滑にはめ合わせることができる。
【００３０】
なお、本例ではガイドピンをホルダ側に取り付け、ガイド穴を台間機本体側に形成している。逆に、ガイドピンを台間機本体側に取り付け、ガイド穴をホルダ側に形成することも可能である。
【００３１】
また、本例では、ガイドピン４６、４７は、中継基板に取り付けられたホルダ側コネクタ３１とは別にブラケット４２に固定されているが、ホルダ側コネクタ３１にガイドピンが予め取り付けられている市販のコネクタを使用し、台間機本体側コネクタ２８もそれに対応する市販のコネクタを使用することも可能である。その場合、台間機本体側コネクタ２８も、コネクタとガイドピンとを別々に設ける必要がなくなり、部品点数を更に簡略化できるばかりでなく組立精度も向上する。
【００３２】
【発明の効果】
以上説明したように、本発明の遊技台用台間機においては、ホルダ側のコネクタを当該ホルダに対してコネクタ差し込み方向に直交する方向にスライド可能に取り付けてある。また、このホルダ側コネクタが取り付けられているブラケットをカバー部材とホルダ背面との間に挟み込むことにより、ホルダ側コネクタをスライドできるようにしている。さらに、ホルダに対して差し込み固定される台間機本体側のコネクタを台間機制御器の制御基板に直接搭載してある。
【００３３】
従って、本発明によれば、ホルダに対して台間機本体を差し込むと、ホルダ側コネクタに台間機本体側のコネクタを差し込むことのできる機構を、部品点数が少ない簡単な構造により実現できる。
【図面の簡単な説明】
【図１】本発明を適用した遊技システムを示す部分正面図である。
【図２】図１の遊技システムの台間機を分解した状態で示す側面図である。
【図３】図２の台間機における中継器を分解した状態で示す側面図である。
【図４】（ａ）、（ｂ）および（ｃ）は、それぞれ、ホルダの縦枠を前側から見た場合の部分正面図、当該縦枠を背面側から見た場合の部分背面図、および台間機本体の本体ケースを背面側から見た場合の部分背面図である。
【符号の説明】
１    遊技システム
２    遊技島
３    遊技島取り付け枠
４    遊技ユニット
５    遊技台
６    台間機（遊技台用台間機）
１０  ホルダ
１１ｂ  縦枠の背面側表面
２０  台間機本体
２１  本体ケース
２２  制御器
２７  制御基板
２８  本体側コネクタ
３０  中継器
３１  ホルダ側コネクタ
３２〜３７  外部通信用コネクタ
４１  中継基板
４２  ブラケット
４３  カバー部材
４２６  開口部
４６、４７  ガイドピン
１１１、１１２  ピン穴
１１３  開口部
【図１】
2004202023.tif 000003
【図２】
2004202023.tif 000004
【図３】
2004202023.tif 000005
【図４】
2004202023.tif 000006